(57)【要約】      （修正有）【課題】太陽電池モジュール用架台のような大型の架台を組み立てる場合でも、支柱や横材の連結作業が極めて容易になり、しかも、架台の下のスペースを有効利用することが可能な架台用連結金具を提供する。【解決手段】架台を構成する角材の支柱２１と横材２２との間に重ねる重合板体１１を形成する。該重合板体１１から支柱２１の左右側面に嵌合せしめる支柱連結腕１２を設ける。重合板体１１から横材２２の下側面を支持せしめる断面コ字形状の横材連結腕１３を設ける。重合板体１１から突設された平行な２枚の嵌合板にて支柱連結腕１２を構成する。嵌合板に連結ボルト１を貫通せしめるネジ孔を開穿する。載置片と係止片とで横材連結腕１３を構成する。嵌合板間に嵌合した支柱２１と横材連結腕１３内に嵌合した横材２２とを連結ボルト１にて連結する。【選択図】図１
0003175076.tif 000002
【実用新案登録請求の範囲】
【請求項１】
架台を構成する角材の支柱と横材とを直交状態で重合したときに、支柱と横材との間に重ねる重合板体を形成し、該重合板体から支柱側に突設され、支柱の左右側面に嵌合せしめる支柱連結腕と、重合板体から横材側に突設され、横材の下側面を支持せしめる断面コ字形状の横材連結腕とで構成したことを特徴とする架台用連結金具。
【請求項２】
前記支柱連結腕は、前記重合板体から前記支柱側に突設された平行な２枚の嵌合板にて構成され、該嵌合板に連結ボルトを貫通せしめるネジ孔を開穿し、該嵌合板間に嵌合した前記支柱の左右側面を連結ボルトにて連結するように構成した請求項１記載の架台用連結金具。
【請求項３】
前記横材連結腕は、前記重合板体の下側縁から前記横材方向に水平に延長された載置片と、該載置片の先端縁から垂直上方に延長された係止片とで断面コ字形状に構成され、該係止片と前記重合板体とに連結ボルトを貫通せしめるネジ孔を開穿し、前記横材連結腕内に嵌合した前記横材の前後側面を連結ボルトにて連結するように構成した請求項１記載の架台用連結金具。
【請求項４】
前記横材連結腕において、前記係止片の高さを前記重合板体の高さの１／２に形成した請求項３記載の架台用連結金具。
【考案の詳細な説明】
【技術分野】
【０００１】
本考案は、架台の支柱を連結する際に使用する架台用連結金具に係り、特に、太陽電池モジュール用架台のような大型の架台を連結するのに好適な架台用連結金具に関するものである。
【背景技術】
【０００２】
太陽電池モジュールを設置する鉄骨フレーム等の架台など、支柱を組合せて構成する架台は、支持する物品に応じて種々提案されている。この種の架台として、一般に、支柱に横材を組合せて構成する架台が多く使用されている。この場合、特許文献１に記載の如く、架台の下のスペースを省スペース化するための連結金具が提案されている。
【０００３】
特許文献１に記載の連結金具は、支持対象の長尺体の両側部に立設自在な一対の支柱と、支柱間に配置される桁とを有する架台に使用するもので、支柱と桁とに架設する連結金具を設けたものである。そして、架台の下を省スペース化するために、支柱への第一取付部を金具本体の上端部に設け、金具本体の下端部に、桁の端部を載置自在な受け部を設け、受け部に桁への第二取付部を設けた構成を成している。
【先行技術文献】
【特許文献】
【０００４】
【特許文献１】特開平１１−３５１２１５号
【考案の概要】
【考案が解決しようとする課題】
【０００５】
太陽電池モジュールを設置するような角材フレームの架台を固定する場合、数多くの支柱や横材を連結する作業が必要になる。しかも、架台のサイズが大きくなると、支柱や横材の他に、筋交い等の補強材が必要になるので、更に連結作業が増加する。
【０００６】
一方、特許文献１に記載の連結金具では、架台の支柱間に横材を架設するときに限って連結することができるものである。そのため、特許文献１の連結金具を太陽電池モジュール用架台のような大型の架台に使用することは困難であった。
【０００７】
そこで、本考案は、例えば、太陽電池モジュール用架台のような大型の架台を組み立てる場合でも、支柱や横材の連結作業が極めて容易になり、しかも、架台の下のスペースを有効利用することが可能な架台用連結金具の提供を目的とするものである。
【課題を解決するための手段】
【０００８】
上述の目的を達成すべく本考案の第１の手段は、架台を構成する角材の支柱２１と横材２２とを直交状態で重合したときに、支柱２１と横材２２との間に重ねる重合板体１１を形成し、該重合板体１１から支柱２１側に突設され、支柱２１の左右側面に嵌合せしめる支柱連結腕１２と、重合板体１１から横材２２側に突設され、横材２２の下側面を支持せしめる断面コ字形状の横材連結腕１３とで構成したことにある。
【０００９】
第２の手段において、前記支柱連結腕１２は、前記重合板体１１から前記支柱２１側に突設された平行な２枚の嵌合板１２Ｂにて構成され、該嵌合板１２Ｂに連結ボルト１を貫通せしめるネジ孔１２Ａを開穿し、該嵌合板１２Ｂ間に嵌合した前記支柱２１の左右側面を連結ボルト１にて連結するように構成している。
【００１０】
第３の手段において、前記横材連結腕１３は、前記重合板体１１の下側縁から前記横材２２方向に水平に延長された載置片１３Ｂと、該載置片１３Ｂの先端縁から垂直上方に延長された係止片１３Ｃとで断面コ字形状に構成され、該係止片１３Ｃと前記重合板体１１とに連結ボルト１を貫通せしめるネジ孔１３Ａ、１１Ａを開穿し、前記横材連結腕１３内に嵌合した前記横材２２の前後側面を連結ボルト１にて連結するように構成したものである。
【００１１】
第４の手段は、前記横材連結腕１３において、前記係止片１３Ｃの高さを前記重合板体１１の高さの１／２に形成したことにある。
【考案の効果】
【００１２】
本考案の請求項１のごとく、架台を構成する角材の支柱２１と横材２２とを直交状態で重合したときに、支柱２１と横材２２との間に重ねる重合板体１１を形成し、該重合板体１１から支柱２１側に突設され、支柱２１の左右側面に嵌合せしめる支柱連結腕１２と、重合板体１１から横材２２側に突設され、横材２２の下側面を支持せしめる断面コ字形状の横材連結腕１３とで構成したことにより、支柱２１と横材２２とを連結する作業は、連結部分にジョイント金具１０を嵌合して固定するだけの作業になる。この結果、架台２０の構築作業を極めて簡略化することができ、太陽電池モジュール用架台のような大型の架台を組み立てる場合でも、支柱２１や横材２２の連結作業が極めて容易になるものである。
【００１３】
請求項２のように、支柱連結腕１２は、重合板体１１から支柱２１側に突設された平行な２枚の嵌合板１２Ｂにて構成され、該嵌合板１２Ｂに連結ボルト１を貫通せしめるネジ孔１２Ａを開穿し、該嵌合板１２Ｂ間に嵌合した前記支柱２１の左右側面を連結ボルト１にて連結するように構成したことで、支柱連結腕１２を支柱２１に嵌合させた状態で連結ボルト１にて連結する作業になり、この連結作業が極めて容易に行えるものである。
【００１４】
請求項３の如く、横材連結腕１３は、重合板体１１の下側縁から前記横材２２方向に水平に延長された載置片１３Ｂと、該載置片１３Ｂの先端縁から垂直上方に延長された係止片１３Ｃとで断面コ字形状に構成され、該係止片１３Ｃと前記重合板体１１とに連結ボルト１を貫通せしめるネジ孔１３Ａ、１１Ａを開穿し、横材連結腕１３内に嵌合した横材２２の前後側面を連結ボルト１にて連結するように構成したことで、横材連結腕１３内に嵌合した横材２２を支えながら連結ボルト１にて連結する作業になるので、この連結作業が極めて容易に行えるものである。
【００１５】
請求項４のように、横材連結腕１３において、係止片１３Ｃの高さを重合板体１１の高さの１／２に形成したことで、この横材連結腕１３に載置嵌合する横材２２は、係止片１３Ｃの高さと重合板体１１の高さとの２種類を選択することが可能になる。この結果、横材２２を選択することで、筋交い等を多く用いなくとも多様な架台を構築することが可能になる。したがって、架台下のスペースを広くしてこのスペースを有効利用することが可能になるものである。
【図面の簡単な説明】
【００１６】
【図１】本考案を使用した架台を示す概略斜視図である。
【図２】本考案を使用した架台を示す側面図である。
【図３】本考案の使用状態を示す要部斜視図である。
【図４】本考案の一実施例を示す側面図である。
【図５】本考案の一実施例を示す平面図である。
【図６】本考案の一実施例を示す正面図である。
【図７】本考案の一実施例を示す背面図である。
【図８】本考案の他の使用状態を示す要部斜視図である。
【考案を実施するための形態】
【００１７】
このように本考案によると、例えば、太陽電池モジュール用架台のような大型の架台を組み立てる場合でも、支柱や横材の連結作業が極めて容易になり、しかも、架台の下のスペースを利用することが可能になるなどといった当初の目的を達成した。
【実施例】
【００１８】
以下、本考案連結金具の一実施例を説明する。本考案連結金具は、太陽電池モジュールＰなどを支持する架台を構成する角材の支柱２１と横材２２とを直交状態で連結する金具である（図１参照）。すなわち、支柱２１と横材２２とを直交状態で重ねたときに、支柱２１と横材２２とに連結腕を嵌合しながら連結するものである（図３参照）。
【００１９】
本考案連結金具の主要構成は、重合板体１１、支柱連結腕１２、横材連結腕１３にて構成される（図３参照）。重合板体１１は、支柱２１と横材２２との間に重ねる板部材で、この重合板体１１の四隅にネジ孔１１Ａを開穿している（図６、図７参照）。
【００２０】
支柱連結腕１２は、該重合板体１１から支柱２１側に突設され、支柱２１の左右側面に嵌合せしめる部材である（図３参照）。この支柱連結腕１２は、支柱２１側に突設された２枚の嵌合板１２Ｂが平行に対峙した構成を成している（図５、図７参照）。そして、嵌合板１２Ｂの各板面に連結ボルト１を貫通せしめるネジ孔１２Ａを開穿してあり、嵌合板１２Ｂ間に嵌合した支柱２１の左右側面を連結ボルト１にて連結するものである（図２参照）。この連結ボルト１は、支柱２１や横材２２を連結する際に、これら支柱２１や横材２２を貫通する長さで使用するほか、タッピンネジの如く、支柱２１や横材２２に直接ネジ止めするものでもよい。
【００２１】
横材連結腕１３は、重合板体１１から横材２２側に突設され、横材２２の底面を支持せしめる部材である（図３参照）。この横材連結腕１３は、更に、載置片１３Ｂと、係止片１３Ｃとで断面コ字形状に構成されている（図４参照）。横材連結腕１３は、重合板体１１の下側縁から前記横材２２方向に水平に延長された板状の部材である。係止片１３Ｃは、載置片１３Ｂの先端縁から垂直上方に延長された帯状の部材である。
【００２２】
そして、係止片１３Ｃと重合板体１１とに連結ボルト１を貫通せしめるネジ孔１３Ａ、１１Ａを開穿し、横材連結腕１３内に嵌合した横材２２の前後側面を連結ボルト１にて連結するものである（図３参照）。
【００２３】
このとき、係止片１３Ｃの高さを重合板体１１の高さの１／２に形成することで、高さの異なる二種類の横材２２を嵌合することができる（図３、図８参照）。図示例では、支柱２１に対して２種類の横材２２を組合せた例を示している。すなわち、支柱２１の上端部に連結する支持用横材２２Ａと、支柱２１の下端部付近に連結する補強用横材２２Ｂである（図１参照）。支持用横材２２Ａは、太陽電池モジュールＰ等を支持する横材２２である。一方、補強用横材２２Ｂは、各支柱２１を補強するために、筋交の代わりに連結する横材２２である。いずれの横材２２も、厚みの寸法は同じであり、横材連結腕１３に嵌合するように設けている（図３、図８参照）。
【００２４】
本考案連結金具で支柱２１に横材２２を連結すると、筋交の代わりに架台１０を補強することができる（図２参照）。そのため、架台１０の下の設置スペースを広く活用できるようになり、この設置スペースを他の収納スペースなどに有効利用することが可能になるものである。
【００２５】
尚、本考案の各構成は図示例に限定されるものではなく、本考案の要旨を変更しない範囲において自由に変更できるものである。
【産業上の利用可能性】
【００２６】
本考案は、太陽電池モジュールＰ等を設置する大型の架台を構成する連結金具として説明しているが、架台の大小はや用途は限定されないもので、多目的な連結金具として利用することが可能である。
【符号の説明】
【００２７】
Ｐ  太陽電池モジュール
１  連結ボルト
１０  ジョイント金具
１１  重合板体
１１Ａ  ネジ孔
１２  支柱連結腕
１２Ａ  ネジ孔
１３  横材連結腕
１３Ａ  ネジ孔
２０  架台
２１  支柱
２２  横材
２２Ａ  支持用横材
２２Ｂ  補強用横材
２３  連結ネジ
【図１】
0003175076.tif 000003
【図２】
0003175076.tif 000004
【図３】
0003175076.tif 000005
【図４】
0003175076.tif 000006
【図５】
0003175076.tif 000007
【図６】
0003175076.tif 000008
【図７】
0003175076.tif 000009
【図８】
0003175076.tif 000010